(57)【要約】【課題】両替機やメダル貸出機等のデザインを損ねることなく、告知内容の交換が容易に変更できる表示パネル体を提供する。【解決手段】四方が前面に向け開閉可能な額縁１３を有するに長手の表示パネル１１と、該表示パネル１１の裏側の対向する左右の辺部材１４の下端側に該辺部材１４に沿って取り付けた一対のＬ字状金具２０と、該Ｌ字状金具のＬ字の底部に配設した断面コの字状を成すヨーク２３ａの立ち下がり部間に表裏面がＮＳ極をなす板状磁石２３ｂとを有する表示パネル体。【選択図】図４
2011027860.tif 000002
【特許請求の範囲】
【請求項１】
四方が前面に向け開閉可能な額縁を有するに表示パネルと、
該表示パネルの裏側の対向する左右の辺部材の下端側に該辺部材に沿って取り付けた一対のＬ字状金具と、
該Ｌ字状金具のＬ字の底部に配設した磁石体と、
を有することを特徴とする表示パネル体。
【請求項２】
請求項１において、
表示パネルの裏面側に辺部材からなる枠大のポケット部と、
該ポケット部は、表示パネルの裏面の左右の辺部材に前記Ｌ字状金具にて両端部を固定されている、
ことを特徴とする表示パネル体。
【請求項３】
請求項１において、
磁石体は、Ｌ字状金具の後端側に設けられている、
ことを特徴とする表示パネル体。
【請求項４】
請求項１において、
裏面の対向する左右の辺部材の下端側に該辺部材に沿って取り付けた一対のＬ字状金具は、
少なくともＬ字金具の底面に設けた磁石面が表示パネルの下縁と同一面から下方になるように高さ調整が可能に取り付けられている、
ことを特徴とする表示パネル体。
【発明の詳細な説明】
【技術分野】
【０００１】
本発明は、箱状の両替機等の筐体に告知したい情報を入れ替え可能なパネルに収納して取り付け、告知情報の交換時には取り外し容易にした情報を表示する表示パネル体に関する。
【背景技術】
【０００２】
従来からアミューズメントセンター等において、顧客が業務用ゲーム装置や業務用メダルゲーム機を遊戯する際に、両替したり、メダル貸出機にてメダルを借りて、遊戯を楽しんでいる。この際に、メダル貸出機では、メダルの貸出レートについては、メダル貸出機に予め設けられている表示部にＬＥＤ等で表示されるようになっている（例えば特許文献１参照。）。
【０００３】
しかしながら、その店舗でのイベント情報等には、その店舗において独自にポスターを作成して、受付カウンター等に掲示したり、壁等に貼り付けて告知をしている。特にメダル貸出レートの変更の告知は、メダル貸出機の近くに示すことが望ましく、従来では、メダル貸出機の表面の開いたスペースに紙で貼っていた。
一方、パネルの四方の額縁部分が開閉可能な式の表示パネルが提案されている（特許文献２参照。）。これは四方の額縁が開閉するもので、額縁を開き、表示物を交換することができ、この表示パネルの裏側に紐をかけて、壁面等も受けたフックに吊下げる等して掲示するのである。
【先行技術文献】
【特許文献】
【０００４】
【特許文献１】実開平６−７００６５号公報
【特許文献２】特開２００５−３４５８００号公報
【発明の概要】
【発明が解決しようとする課題】
【０００５】
上述した方式では、メダル貸出機の本来のデザイン面に告知を貼り付けたり、ポップを貸出機から飛び出して貼り付けることになり、デザイン的に見た目に良くない。この場合に、デザイン面がアクリル樹脂等で構成されている場合は、告知をテープ等で貼り付けることになり、綺麗には見えなく、雑多な印象を顧客に与えてしまい兼ねない。
上記の表示パネルを両替機等に用いるには、両替機にはフックがなく、吊下げるには不便であり、何よりも、表示パネルを両替機に吊下げては両替機のデザイン面が見えなくなるのであった。
そこで本発明は、両替機やメダル貸出機等のデザインを損ねることなく、告知内容の交換が容易に変更できる表示パネル体を提供することにある。
【課題を解決するための手段】
【０００６】
本願発明では、上記課題を解決するために、四方が前面に向け開閉可能な額縁を有するに長手の表示パネルと、
該表示パネルの裏側の対向する左右の辺部材の下端側に該辺部材に沿って取り付けた一対のＬ字状金具と、
該Ｌ字状金具のＬ字の底部に配設した断面コの字状を成すヨークの立ち下がり部間に表裏面がＮＳ極をなす板状磁石と、
を有する表示パネル体としてある。
【０００７】
上記発明により、四方の額縁を開き、告知すべき内容が掲載された告知板を入れて閉じることで、告知板が表示パネルに固定され、これを両替機やメダル貸出機等の鉄製で構成されている筐体の上面部にＬ字状金具の底部の載置することで、Ｌ字状金具の底部の板状磁石が着磁して表示パネル体を取り付けることができる。
【０００８】
本願発明では、上記課題を解決するために、上記発明に加え、
表示パネルの裏面側に辺部材からなる枠大のポケット部と、
該ポケット部は、表示パネルの裏面の左右の辺部材に前記Ｌ字状金具にて両端部を固定されている表示パネル体としてある。
上記発明により、辺部材で構成されるフレーム枠大の大きさのポケット部に、予備の表示パネルを保管することができ、予備のパネルの保管場所に困らないのである。
【０００９】
さらに本発明では、上記課題を解決するために、上記発明において、板状磁石は、Ｌ字状金具の後端側に設けられている表示パネル体としてある。
上記発明により、表示パネル体を鉄製の筐体の上面部に固定する際に、左右のＬ字状金具の後端で磁着することができ、表示パネル体を取り外す際に手前側を持上げることで、Ｌ字状金具の後端が支点となり容易に取り外すことが可能となる。
【００１０】
さらに本発明では、上記課題を解決するために、上記した発明において、
裏面の対向する左右の辺部材の下端側に該辺部材に沿って取り付けた一対のＬ字状金具は、
少なくともＬ字金具の底面に設けた磁石面が表示パネルの下縁と同一面から下方になるように高さ調整が可能に取り付けられている表示パネル体としてある。
【００１１】
上記発明により、本表示パネル体の設置先の両替機やメダル貸出機等の筐体の上面部が高く、ドア部前面が開閉する方式でドアのヒンジが上部に突出している場合でも、Ｌ字状の取り付け金具の高さを調整することで、その上方に表示パネルを掲示することができる。
【発明の効果】
【００１２】
本願発明の表示パネル体により、両替機やメダル貸出機等のデザインを損ねることなく、告知内容の交換が容易に変更できる情報告知体を提供することができる。
【図面の簡単な説明】
【００１３】
【図１】表示パネル体をメダル貸出機の上面に取り付けた図である。
【図２】表示パネル体の表側の斜視図である。
【図３】表示パネル体の額縁フレームの開閉状態を示す部分斜視図である。
【図４】表示パネル体の裏側の斜視図である。
【図５】表示パネル体の側面図である。
【図６】Ｌ字状金具の床部の別実施例の側面図である。
【発明を実施するための形態】
【００１４】
本発明の実施例を図面に基づき詳細に説明する。以下、本願発明の実施例について述べる。
メダル貸出機や両替機はその外観はほぼ同じであり、それぞれ専用機であったり、両方を兼ね備えた機種など様々であるが、機能的には投入貨幣に応じて、両側、あるいはメダル貸出を行なう機能を有するものである。
【実施例１】
【００１５】
図１は表示パネル体をメダル貸出機の上面に取り付けた図を示す。
メダル貸出機１の前扉２には紙幣投入口や磁気カードや電子マネー等の入力部３、硬貨投入口４が設けられ、前面にはメダル貸出機である旨を表示するタイトル表示部５があり、その下方には、メダルの交換レートを示す交換レート表示部６があり、使用者は紙幣や電子マネー、硬貨を投入して、メダルを入手することができる。これら交換レート表示は液晶パネルが採用されている場合もある。そして下方にはメダル払出口７があり、表示された交換レートによるメダルが払い出されるのである。
【００１６】
メダル貸出機の上面部に本発明の表示パネル体１０が取り付けられている。この表示パネル体の表示パネル１１にはその店舗でのキャンペーン情報等、その店舗独自で顧客に告知したい内容が掲載される。内容的には、チェーン展開している店舗では、同一イベントの告知であったり、日替りのメダル交換レートの告知であったり、顧客にアピールしたい事項である。  
【００１７】
図２は、表示パネル体の表側の斜視図である。図３は表示パネル体の表側の左下隅の拡大図であり、下側の額縁を開いた斜視図である。表示パネル１１の４隅は円弧状に形成されたコーナ部材１２となっており、コーナ部材間には外四方手前に向けて開閉する額縁１３になっている。各額縁１３は各辺部材１４に沿って軸各辺部材の軸部１４ａに軸着されており、額縁１３が開閉の２段階の状態を保つように額縁１３と各辺部材１４との間で湾曲した板バネ１５で付勢されている。４辺の額縁１４が閉じた状態では、額縁の内縁の方形面積より大きな面積を有する枠体内１４ｂに収納された板状の台紙体１５を各額縁のパネル押さえ部１２ａが押さえ固定することができる。台紙体１５の表面には告知内容を記載した紙等の表示パネル１１を載せ、台紙体１５と同一面積の透明なカバー体で覆い、各額縁の押さえ部１２ａを閉じて湾曲した板バネ１５により付勢して固定する。
【００１８】
図４は、表示パネル体の裏側の斜視図である。図５は表示パネル体の側面図を示している。横長の表示パネル体１０の左右縁の額縁の辺部材１４の下端側に該辺部材１４に沿って一対のＬ字状金具２０が直角の辺を下方にして取り付けてある。そしてＬ字状金具２０の直角の辺である底部の前後に設けた穴２１、２２には磁石体２３が下向きに取り付けてある。
【００１９】
磁石体２３は扁平コの字状をなすヨーク２３ａの両立ち下がり部間に表裏面がＮ、Ｓ極をなすドーナツ状の平板状磁石２３ｂを固定してあり、円盤状のヨーク２３ａの中央に螺子穴が設けてあり、Ｌ字状金具の前記穴から螺子２４を入れてヨークの中央の螺子孔に螺子を入れて、磁石体２３をＬ字状金具の床部に螺子止めしている。さらに磁石体の床面には保護シート２３ｃを貼ることで、メダル貸出機等の鉄製の上面面への取り付け、取り外し時に、メダル貸出機等の上面が摺れて傷付くことがない。保護シート２３ｃの素材としては、機械的強度に優れ、且つ、比較的摩擦抵抗の大きいウレタンシートなどが適しており、これに粘着層を形成して磁石体裏面に貼り付ける。
【００２０】
また、Ｌ字状金具２０の左右の辺部材１４への取り付けにあたり、裏面の左右の辺部材１４の下端側に辺部材１４に沿って一対のＬ字状金具２０は、磁石体２３の底面が下辺の辺部材１４cの下端と同一面から下方になるように数段階の高さ調整が可能に螺子２５により螺子止めされる。このため、裏面の左右の辺部材１４、14には螺子穴１６が複数設けてあり、Ｌ字状金具２０の取り付け位置を変更できるようになっている。これは、前面の扉が全面に開閉式のメダル貸出機では、上面部に本表示パネル体を取り付ける際に扉が開く部分を鑑みて、設置場所を上面前縁面から後方に下げて取り付ける必要があり、その際に背丈が人の背より高いメダル貸出機では、表示パネル１１の下面が顧客の視界に入らないため、上方に上げる必要があるからである。つまりメダル貸出機の上部の前縁が人の目線より上方にあると、メダル貸出機の前縁により表示パネル１１の下側が隠れてしまうので、表示パネル１１を上方の位置にするのである。
また、メダル貸出機の全面開きの扉では扉のヒンジ部が上面部から突出している場合があり、その場合に、ヒンジ部を避けるために  表示パネル自体を上方に逃がす必要からＬ字状金具で浮かせるのである。
【００２１】
次に、辺部材の裏面側に辺部材で構成される枠大であり、上方が開口可能な二枚合わせの透明部材からなるポケット部２６が設けられていてもよく。このポケット部２６は左右の辺部材１４ａ、１４ａに固定するＬ字状金具２０の固定の際に、ポケット部１７の左右端を挟んで螺子止めしておくことで、取り付けることが出来る。このポケット部１７には予備の表示パネル等を折りたたむことなく保存しておくことができる。これにより、チェーン展開している店舗では共通の告知表示をしたり、店舗独自の表示等、繰り返し使うパネルを保管することができる。
【実施例２】
【００２２】
図６はＬ字状金具の床部の別実施例の側面図を示し、ここでは一対のＬ字状金具２０の床部の後端には、図４で用いた磁石体２３を螺着してあり、Ｌ字状金具の床部の手前側の穴２１には該磁石体と同一高さの扁平のゴム部２６を取り付けてある。これにより、メダル貸出機等の上面部から表示パネル体１０を取り外す際に、表示パネル体の辺部材１４からなるフレーム枠を持上げることで、簡単にフレーム枠が磁石体２３を支点に梃子の原理で持ち上がり、そのまま磁石体のヨーク23aの後縁を支点に持上げることで、磁石体２３は、上面部と点接触になり、容易に取り外すことができる。
【００２３】
尚、一対のＬ字状金具20の床部の手前側のゴム部２６は磁石体２３と高さが合えば吸盤であっても良い。尚、表示パネルの下側の額縁１４ｂの下縁がＬ字状金具の後端の磁石体２３の下面と同一面上にあれば、Ｌ字状金具具の手前側のゴム部２６は無くとも磁石体の底面が水平を保てる。
【００２４】
上述の通り本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００２５】
１  メダル貸出機
２  前扉
３  入力部
４  硬貨投入部
５  タイトル表示部
６  交換レート表示部
１０  表示パネル体
１１  告知パネル
１２  コーナ部材
１３  額縁
１４  左右辺部材
１５  台紙体
１６  ネジ穴
１７  ポケット部
２０  Ｌ字状金具
２１  穴
２２  穴
２３  磁石体
２３ａ  ヨーク
２３ｂ  磁石
２３ｃ  保護シート
２４  ネジ
２５  ネジ
２６  ゴム部
【図１】
2011027860.tif 000003
【図２】
2011027860.tif 000004
【図３】
2011027860.tif 000005
【図４】
2011027860.tif 000006
【図５】
2011027860.tif 000007
【図６】
2011027860.tif 000008